(57)【要約】【課題】ＴＶＧ（Time Variable Gain）の機能を維持しつつ、ノイズレベルが増加した場合でも、画面上にノイズ映像が表示されないようにする。【解決手段】ノイズレベルが上昇した場合に、ＴＶＧの利得が飽和状態となるＴＶＧリミットをＬ１からＬ２へ自動的に変更する。ＴＶＧリミットをノイズレベルに応じて距離の短くなる側にシフトさせることで、利得の飽和する時点が近距離側にシフトし、利得が一定値となる領域が拡大する。これにより、ノイズレベルが表示レベルを超えないようにすることができ、ノイズが効果的に抑制される。【選択図】図３
2009204308.tif 000002
【特許請求の範囲】
【請求項１】
送受波器から水中へ超音波を送信した後、前記送受波器で水中からのエコーを受信し、受信したエコーの信号を増幅する際に、遠方から帰来するエコーほど利得が大きくなるように前記送受波器からの距離に応じて利得を可変制御するＴＶＧ（Time Variable Gain）処理を行い、増幅されたエコー信号に基づいて水中情報を表示する水中探知装置において、
前記ＴＶＧ処理により得られる利得を、前記距離が所定の基準値以上になると略一定値に維持するとともに、前記基準値をノイズレベルに応じて自動的に変更することを特徴とする水中探知装置。
【請求項２】
請求項１に記載の水中探知装置において、
ノイズレベルが上昇すると、距離の短くなる側に前記基準値をシフトさせることを特徴とする水中探知装置。
【請求項３】
請求項１に記載の水中探知装置において、
海底エコーのレベルが、エコー強度に応じて段階的に設定された表示色のうち最強色に対応するレベルとなるように、表示の感度を自動調整することを特徴とする水中探知装置。
【請求項４】
請求項３に記載の水中探知装置において、
前記感度を最大値にしても、海底エコーのレベルが最強色に対応するレベルを下回る場合は、表示ダイナミックレンジを最大値に自動設定することを特徴とする水中探知装置。
【請求項５】
請求項１に記載の水中探知装置において、
前記ノイズレベルが、エコー強度に応じて段階的に設定された表示色のうち背景色に対応するレベルとなるように、表示ダイナミックレンジを自動調整することを特徴とする水中探知装置。
【請求項６】
請求項５に記載の水中探知装置において、
前記表示ダイナミックレンジを最小値にしても、背景色に対応するレベルがノイズレベルを下回る場合は、ノイズレベルを背景色に対応するレベルに自動設定することを特徴とする水中探知装置。
【請求項７】
請求項１に記載の水中探知装置において、
表層ノイズのレベルが所定レベルより大きくなったこと、または、海底エコーのレベルが所定レベルより小さくなったことが検知されたときに、前記利得を略一定値に維持する処理を禁止するか、または、前記基準値を海底深度以上の値に変更することを特徴とする水中探知装置。
【請求項８】
請求項７に記載の水中探知装置において、
表層ノイズのレベルが所定レベルより大きくなったこと、または、海底エコーのレベルが所定レベルより小さくなったことが検知されたときに、ＴＶＧの特性曲線の傾きを大きくすることを特徴とする水中探知装置。
【請求項９】
送受波器から水中へ超音波を送信した後、前記送受波器で水中からのエコーを受信し、受信したエコーの信号を増幅する際に、遠方から帰来するエコーほど利得が大きくなるように前記送受波器からの距離に応じて利得を可変制御するＴＶＧ（Time Variable Gain）処理を行い、増幅されたエコー信号に基づいて水中情報を表示する水中探知装置において、
前記ＴＶＧ処理により得られる利得を、前記距離が所定の基準値以上になると略一定値に維持し、
ノイズレベルが、エコー強度に応じて段階的に設定された表示色のうち背景色に対応するレベルとなるように、表示ダイナミックレンジを自動調整し、
前記表示ダイナミックレンジを最小値にしてもノイズが表示される場合は、ノイズレベルが前記背景色に対応するレベルとなるように、前記基準値を自動的に変更することを特徴とする水中探知装置。
【発明の詳細な説明】
【技術分野】
【０００１】
本発明は、魚群探知機などの水中探知装置に関し、特に、ＴＶＧ（Time  Variable  Gain：時間変化利得）特性および表示ダイナミックレンジを自動調整する技術に関する。
【背景技術】
【０００２】
魚群探知機においては、水中へ超音波を送信した後、水中からのエコーを受信し、受信したエコー信号に基づいて魚群や海底などの水中情報を表示するようにしている。しかし、エコーは受信されるまでに水中での伝播減衰があり、遠方から帰来するエコーほど減衰が大きくなる。このため、遠方からのエコーは増幅しても信号レベルが小さく、画面上に鮮明な映像として表示されない場合が多い。図１４は、受信したエコー信号のレベルを示す図である。遠距離のエコー信号は、同じターゲットであっても近距離のエコー信号よりレベルが小さくなり、図中のＡに示すように、表示されるとしても弱いレベルでしか表示されない。
【０００３】
そこで、この伝播減衰を補正するため、遠方から帰来するエコーほど利得が大きくなるように送受波器からの距離に応じて利得を可変制御するＴＶＧ処理を行い、送受波器の振動子からターゲットまでの距離にかかわらず、エコー映像が同じレベルで表示されるようにしている。ＴＶＧ処理においては、増幅回路の利得が時間とともに増加する。このようなＴＶＧ処理により、図１５に示したように、遠距離のエコーが大きな利得で増幅されて、近距離のエコーと同じレベルで表示される。ＴＶＧ処理機能を備えた水中探知装置は、例えば後掲の特許文献１に記載されている。
【０００４】
ところで、魚群探知機で受信される信号の中には、ターゲットからのエコーだけでなく、音響的・電気的なノイズも含まれている。通常は、これらのノイズのレベルは小さいため、画面上に表示されにくいが、ＴＶＧ処理により増幅回路の利得が大きくなると、図１５で破線で示したように、ノイズが増幅されて表示レベルを超え、画面上に表示されることがある。画面上にノイズ映像が目立つと、エコー映像がノイズ映像に紛れて見にくくなるという問題がある。この対策として、距離（深度）がある値以上になると、利得を一定値に維持することが従来より行われている。こうすれば、図１６に示すように、深度が基準値（ＴＶＧリミット）以上になると、利得が飽和することによってノイズレベルも飽和し、ノイズレベルが表示レベルを超えなくなるので、画面上にノイズ映像が表示されなくなる。
【０００５】
【特許文献１】特開平１１−３８１２８号公報
【発明の開示】
【発明が解決しようとする課題】
【０００６】
しかしながら、受信ノイズのレベルは海況や船速などによって変動するため、ノイズレベルが増大した場合は、図１６のようにＴＶＧリミットを設定していても、図１７に示すように、ノイズレベルが表示レベルを超えてノイズ映像が表示されることが起こりうる。
【０００７】
また一方で、付近を航行する船舶のスクリュー回転により発生する泡の影響を受けて、エコーの受信感度が低下するいわゆる「泡切れ」が発生した場合は、海底などのターゲットの映像が表示されなくなることがある。これに対しては、オート感度調整機能により感度を自動的に上げることで、海底映像を表示することは可能であるが、そうすると、表示範囲全体に渡ってレベルが上がるので、表層の泡などのノイズがさらに強く表示されてしまうことになる。
【０００８】
本発明は、このような課題を解決するものであって、その目的とするところは、ＴＶＧの機能を維持しつつ、ノイズレベルが増加した場合でも、画面上にノイズ映像が表示されないようにすることにある。本発明の他の目的は、泡切れがあった場合に、ノイズ映像を抑制しながら海底などのターゲットの映像を鮮明に表示できるようにすることにある。
【課題を解決するための手段】
【０００９】
本発明では、送受波器から水中へ超音波を送信した後、送受波器で水中からのエコーを受信し、受信したエコーの信号を増幅する際に、遠方から帰来するエコーほど利得が大きくなるように送受波器からの距離に応じて利得を可変制御するＴＶＧ処理を行い、増幅されたエコー信号に基づいて水中情報を表示する水中探知装置において、ＴＶＧ処理により得られる利得を、距離が所定の基準値以上になると略一定値に維持するとともに、基準値をノイズレベルに応じて自動的に変更するようにしている。
【００１０】
このようにすると、海況や船速などによりノイズのレベルが変動した場合でも、ＴＶＧの利得の飽和する時点がノイズレベルに応じて自動的に調整されるので、ノイズレベルが表示レベルを超えないように制御することが可能となり、これによって画面上にノイズ映像が表示されるのを抑制することができる。
【００１１】
例えば、ノイズレベルが上昇すると、距離の短くなる側に基準値をシフトさせる。これにより、ＴＶＧ処理による利得の飽和する時点が近距離側にシフトするので、利得が一定値となる領域が拡大し、ノイズを効果的に抑制することができる。
【００１２】
本発明の好ましい実施形態においては、海底エコーのレベルが、エコー強度に応じて段階的に設定された表示色のうち最強色に対応するレベルとなるように、表示の感度が自動調整される。
【００１３】
前述のように、利得が飽和する時点をノイズレベルに応じて変更することで、ノイズ映像を抑制することができるが、逆に、本来表示されるべき海底の映像も抑制される可能性がある。しかるに、上記のようにして感度を自動調整することにより、海底エコーを他のエコーと区別して最強色で鮮明に表示することができる。
【００１４】
更に好ましくは、上記の感度を最大値にしても、海底エコーのレベルが最強色に対応するレベルを下回る場合は、表示ダイナミックレンジを最大値に自動設定する。
【００１５】
このようにすれば、感度だけでは限界がある場合でも、表示ダイナミックレンジを調整することにより、海底エコーのレベルをできるだけ最強色レベルに近づけることが可能となり、見やすい海底映像を得ることができる。
【００１６】
また、本発明の好ましい実施形態においては、ノイズレベルが、エコー強度に応じて段階的に設定された表示色のうち背景色に対応するレベルとなるように、表示ダイナミックレンジが自動調整される。
【００１７】
このようにすれば、ノイズレベルが背景色レベルに自動調整されるので、画面上のノイズ映像が一層抑制され、見やすいエコー画像を得ることができる。
【００１８】
更に好ましくは、表示ダイナミックレンジを最小値にしても、背景色に対応するレベルがノイズレベルを下回る場合は、ノイズレベルを背景色に対応するレベルに自動設定する。
【００１９】
このようにすれば、背景色レベルがノイズレベルを下回っても、ノイズレベルが強制的に背景色レベルと等しくなるように設定が行われるので、画面上にノイズ映像が現れるのを抑制することができる。
【００２０】
また、本発明の好ましい実施形態においては、表層ノイズのレベルが所定レベルより大きくなったこと、または、海底エコーのレベルが所定レベルより小さくなったことが検知されたときに、ＴＶＧの利得を略一定値に維持する処理を禁止するか、または、基準値を海底深度以上の値に変更する。
【００２１】
泡切れの場合、表層ノイズのレベルが大きくなったり、海底エコーのレベルが小さくなったりするので、これらに基づいて泡切れを検知することができる。そして、泡切れが検知されると、ＴＶＧの利得を略一定値に維持する処理を停止し、あるいは基準値を海底深度以上の値に変更することで、泡切れによる海底エコーの感度低下を防止することができる。
【００２２】
また、本発明の好ましい実施形態においては、上記のように泡切れが検知された場合に、ＴＶＧの特性曲線の傾きを大きくする。これにより、利得が増大するので、海底の映像をより鮮明に表示することができる。
【００２３】
本発明の他の形態として、ノイズレベルが、エコー強度に応じて段階的に設定された表示色のうち背景色に対応するレベルとなるように、表示ダイナミックレンジを自動調整し、表示ダイナミックレンジを最小値にしてもノイズが表示される場合は、ノイズレベルが背景色に対応するレベルとなるように、基準値を自動的に変更するようにしてもよい。
【００２４】
すなわち、ＴＶＧ処理の際に基準値を調整してノイズ映像を背景色レベルに抑える代わりに、まず表示ダイナミックレンジの調整によりノイズ映像を背景色レベルに抑え、それでもなおノイズが表示される場合に、補助的にＴＶＧ処理により基準値を調整するようにしてもよい。
【発明の効果】
【００２５】
本発明によれば、ＴＶＧの機能を維持しつつ、ノイズレベルが増加した場合でも、画面上にノイズ映像が表示されないようにすることができる。
【００２６】
また、泡切れが検知された場合は、利得を略一定値に維持するのを停止するか、または基準値を海底深度以上の値に変更して、ＴＶＧの特性曲線の傾きを大きくすることによって、海底の映像を鮮明に表示することができる。
【発明を実施するための最良の形態】
【００２７】
図１は、本発明に係る水中探知装置の一実施形態である魚群探知機１００のブロック図である。１は超音波を送受信する振動子（図示省略）を備えた送受波器、２は送信動作と受信動作を切り替えるための送受切替回路、３は送受切替回路２を介して送受波器１へ送信信号を供給する送信回路、４は送受波器１で受信されたエコーに対して増幅やフィルタリング等の処理を行う受信回路である。５は受信回路４から出力されるアナログのエコー信号をデジタル信号に変換するＡ／Ｄコンバータ、６はＡ／Ｄコンバータ５から出力されるデジタル信号に対して検波を行う検波回路である。７は検波回路６から出力される検波信号に対して後述する処理を行う信号処理部、８は信号処理部７から出力される信号に基づいてエコー映像などの水中情報を表示する表示部である。
【００２８】
以上の構成に関しては、従来の魚群探知機の構成と変わりはない。なお、表示部８は、魚群探知機１００の本体と一体に設けられていてもよいし、別体に設けられたものであってもよい。後者の場合は、表示部８は魚群探知機１００の本体とＬＡＮなどのネットワークを介して接続される。
【００２９】
図２は、図１の信号処理部７の具体的な構成を示すブロック図である。ここでは、信号処理部７の構成をハードウェアで示しているが、実際には、信号処理部７における処理はすべてソフトウェアによって行われる。但し、このことは本発明にとって本質的事項ではなく、信号処理部７をハードウェアで実現してもよいことは勿論である。
【００３０】
図２において、ピークホールド／間引部９は、検波回路６から出力された検波信号をピークホールドするとともに、所定の間隔でサンプル値を間引く処理を行う。間引きを行う理由は、データのサンプル数を表示部８（例えば液晶ディスプレイ）における表示ドット数と整合させるためである。海底検出処理部１０は、ＴＶＧ処理を行うＴＶＧ処理部１１と、海底検出を行う海底検出部１２とからなる。ＴＶＧ処理や海底検出はいずれも公知であるので、それらの詳細な説明は省略する。海底検出処理部１０からは水深データが表示部８へ出力される。
【００３１】
表示データ処理部２０は、マニュアルＴＶＧ処理部２１、移動平均算出部２２、ＬＯＧ変換部２３、干渉除去部２４、スムージング処理部２５、感度処理部２６、色変換部２７、およびオートＴＶＧ処理部２８からなる。２１〜２７のブロックは、従来の魚群探知機にも備わっており、オートＴＶＧ処理部２８が本発明で追加されたブロックである。なお、マニュアルＴＶＧ処理部２１とオートＴＶＧ処理部２８とは、図示しない操作部でのメニュー選択によって、いずれかが選択される。
【００３２】
マニュアルＴＶＧ処理部２１は、操作部において手動で設定されたＴＶＧの利得や基準値（ＴＶＧリミット；図１６）に基づいて、ＴＶＧ処理を行う。移動平均算出部２２は、ＴＶＧ処理がされた信号に対して、信号のばらつきを抑えるために移動平均を算出する。ＬＯＧ変換部２３は、少ないビット数で表示が行えるように、移動平均算出部２２の出力（リニア値）を対数に変換する。干渉除去部２４は、ソウトウェア処理によって信号のノイズを除去する。スムージング処理部２５は、平均化処理により、映像が時間軸方向に滑らかになるようにする。感度処理部２６と色変換部２７は、操作部またはオートＴＶＧ処理部２８で設定された感度や表示ダイナミックレンジに基づいて、表示部８に表示する着色映像のデータを生成する。オートＴＶＧ処理部２８における処理の詳細については後述する。表示データ処理部２０からは表示データが表示部８へ出力される。
【００３３】
図３は、本発明の基本的な原理を説明する図である。図３（ａ）に示すように、ノイズのレベルが破線から実線のように上昇した場合、そのままでは、図４（ａ）のように、表示部８の画面において、海底映像５１と魚群映像５３以外にノイズ映像５２が顕著に表れ、魚群映像５３の一部がノイズ映像５２に混じって見にくくなる。しかるに、本発明では、このようにノイズレベルが上昇した場合に、オートＴＶＧ処理部２８において、利得が飽和状態となるＴＶＧリミットをＬ１からＬ２へ自動的に変更する処理が行われる。すなわち、ＴＶＧリミットを、ノイズレベルに応じて、距離（深度）の短くなる側にシフトさせる。シフト後のＴＶＧリミットＬ２は、ノイズレベルの曲線と表示レベルのラインとの交点より、わずかに左側となる。これにより、ＴＶＧの利得の飽和する時点が近距離側にシフトするので、利得が一定値となる領域が拡大し、図３（ｂ）に示すように、ノイズレベルが表示レベルを超えないようにすることができる。この結果、ノイズが抑制され、図４（ｂ）のように、図４（ａ）に表れていたノイズ映像５２が画面上に表れなくなって、魚群映像５３が見やすくなる。
【００３４】
但し、上記のようなＴＶＧ処理を行った場合、ノイズが抑制されるだけでなく、海底の映像も抑制されるため、本来は赤茶色のような最強色で表示されるべき海底が、青色で表示されたりして、鮮明な海底映像が得られない場合が起こりうる。また一方で、ノイズとは別に、泡切れの場合には、送受波器１の受信感度が低下して海底映像が映らなくなる場合がある。このため、本実施形態では、以下で述べるように、オートＴＶＧ処理部２８は、ＴＶＧリミットの調整に加え、感度の調整、表示ダイナミックレンジの調整、ＴＶＧ特性の傾き調整など、種々の処理を行う。
【００３５】
図５Ａ、図５Ｂは、オートＴＶＧ処理部２８における詳細な処理内容を示したフローチャートである。
【００３６】
図５Ａにおいて、ステップＳ１では、表示の感度（ゲイン）をデフォルト値に設定する。その後、ステップＳ２で、海底エコーのピークレベルが、エコー強度に応じて段階的に設定された表示色のうち最強色（例えば、赤茶色）に対応するレベルを下回っているかどうかを判定する。海底エコーのピークレベルが最強色レベル以上であれば（ステップＳ２：ＮＯ）、ステップＳ３〜Ｓ６を飛ばしてステップＳ７へ移行する。海底エコーのピークレベルが最強色レベルを下回っておれば（ステップＳ２：ＹＥＳ）、ステップＳ３〜Ｓ６を実行する。
【００３７】
ステップＳ３では、ステップＳ１で設定した感度を所定量だけ上げる。感度は、図６に示すように、信号の最大レベルから最強色レベルまでのオフセット値であり、どの信号レベルから最強色で表示するかを決定するパラメータである。感度が上がると、図７のように最強色で表示される信号レベルは下がり、感度が下がると、図６のように最強色で表示される信号レベルは上がる。
【００３８】
次に、ステップＳ４で、海底エコーのピークレベルが最強色レベル以上になったかどうかを判定する。感度を上げたことで、海底エコーのピークレベルが最強色レベル以上になれば（ステップＳ４：ＹＥＳ）、ステップＳ７へ移行する。一方、感度を上げても海底エコーのピークレベルが最強色レベルを下回っている場合は（ステップＳ４：ＮＯ）、ステップＳ５で感度が１００％であるか否かを判定し、１００％でなければ（ステップＳ５：ＮＯ）、ステップＳ３へ戻って感度を更に上げる。
【００３９】
感度が１００％になっても、海底エコーのピークレベルが最強色レベルを下回る場合は（ステップＳ５：ＹＥＳ）、ステップＳ６へ移行する。ステップＳ６では、表示ダイナミックレンジを最大にする。表示ダイナミックレンジは、図７に示すように、最強色レベルと下地色（背景色）レベルとの幅であり、１つの色がどの程度の信号レベル幅を持つかを決定するパラメータである。表示ダイナミックレンジが大きくなると、図７のように各色に対応する信号レベルの幅が大きくなり、表示ダイナミックレンジが小さくなると、図８のように各色に対応する信号レベルの幅が小さくなる。
【００４０】
次に、ステップＳ７では、演算によりノイズレベルを取得する。例えば、ＴＶＧ処理前のエコーデータに対し、発振線から海底までの信号レベルの平均値を算出して、これをノイズレベルとする。但し、これは一例であって、他の方法によりノイズレベルを取得してもよい。例えば、発振線直後から海底直前までのデータのうち、一定以上のレベルのエコーデータ（魚群等からのエコー）を除くエコーデータの平均値をノイズレベルとしてもよい。ステップＳ７を実行した後、ステップＳ８へ移って泡切れの有無を検知する。表層ノイズのレベルが所定値より大きいか、あるいは海底エコーのレベルが所定値より小さい場合は、泡切れが発生したと判断して（ステップＳ８：ＹＥＳ）、ステップＳ９へ進み、ＴＶＧのレベルを上げる。すなわち、図９で実線で示したように、ＴＶＧの特性曲線（時間−利得特性）の傾きを大きくして、利得を増大させる。泡切れが検知されなかった場合は（ステップＳ８：ＮＯ）、ステップＳ９は実行しない。表層ノイズのレベルとしては、例えば、発振線直後から比較的浅い所定深度までのエコーデータの平均値を用いるとよい。なお、ステップＳ９では、ＴＶＧのレベルを上げるに先立って、利得を一定に維持するＴＶＧリミット機能を停止するか、またはリミット値を海底深度以上の値に変更する処理が行われる。
【００４１】
その後、図５ＢのステップＳ１０へ進み、下地色レベルがノイズレベルを下回っているかどうかを判定する。下地色レベルがノイズレベル以上であれば（ステップＳ１０：ＮＯ）、ステップＳ１１〜Ｓ１４を飛ばしてステップＳ１５へ移行する。下地色レベルがノイズレベルを下回っておれば（ステップＳ１０：ＹＥＳ）、ステップＳ１１〜Ｓ１４を実行する。
【００４２】
ステップＳ１１では、表示ダイナミックレンジを所定量だけ下げる。そして、ステップＳ１２で、下地色レベルがノイズレベル以上になったかどうかを判定する。表示ダイナミックレンジを下げたことで、下地色レベルがノイズレベル以上になれば（ステップＳ１２：ＹＥＳ）、ステップＳ１５へ移行する。一方、表示ダイナミックレンジを下げても下地色レベルがノイズレベルを下回っている場合は（ステップＳ１２：ＮＯ）、ステップＳ１３で表示ダイナミックレンジが最小か否かを判定し、最小でなければ（ステップＳ１３：ＮＯ）、ステップＳ１１へ戻って表示ダイナミックレンジを更に下げる。
【００４３】
表示ダイナミックレンジが最小になっても、下地色レベルがノイズレベルを下回る場合は（ステップＳ１３：ＹＥＳ）、ステップＳ１４へ移行し、ノイズレベルを下地色レベルとする。
【００４４】
次に、ステップＳ１５では、ステップＳ７で取得したノイズレベルに基づいて、ＴＶＧリミットを算出する。すなわち、図１０に示すように、ノイズレベルが下地色レベルを超えないように、ノイズレベルに応じたＴＶＧリミットＬが自動的に設定される。続くステップＳ１６では、現在のＴＶＧリミットと、ステップＳ１５で算出したＴＶＧリミットとを比較し、前者が後者より大きい（遠距離側にある）場合は（ステップＳ１６：ＹＥＳ）、ステップＳ１７へ進んで、現在のＴＶＧリミットを、算出したＴＶＧリミットへシフトさせる処理を行う。ステップＳ１７を実行した後は最初に戻り、以上述べた手順が反復される。
【００４５】
なお、ステップＳ１〜Ｓ１５は、送受波器１から超音波（探知パルス）を１回送信する毎に実行され、ステップＳ１６〜Ｓ１７は、表示部８の画面に1ドットを表示する毎に実行される。
【００４６】
以上述べた処理手順によれば、海況や船速などによりノイズのレベルが変動した場合でも、ＴＶＧリミットがノイズレベルに応じて自動的に調整されるので（ステップＳ１５〜Ｓ１７）、ノイズレベルが表示レベルを超えないように制御することが可能となり、これによって画面上にノイズ映像が表示されるのを抑制することができる。
【００４７】
また、海底エコーのレベルが最強色レベルとなるように、表示の感度が自動調整されるので（ステップＳ２〜Ｓ５）、ノイズ映像を抑制しつつも、海底エコーを他のエコーと区別して最強色で鮮明に表示することができる。そして、感度を最大値にしても、海底エコーのレベルが最強色レベルを下回る場合は、表示ダイナミックレンジを最大値に自動設定するので（ステップＳ６）、感度だけでは限界がある場合でも、表示ダイナミックレンジを調整することにより、海底エコーのレベルをできるだけ最強色レベルに近づけることが可能となり、見やすい海底映像を得ることができる。なお、最強色は必ずしも１番目の強さに対応する色のみに限定する必要はなく、２番目や３番目の強さに対応する色で表示しても、同様の効果が得られる。
【００４８】
また、ノイズレベルが下地色（背景色）レベルとなるように、表示ダイナミックレンジが自動調整されるので（ステップＳ１０〜Ｓ１３）、画面上のノイズ映像が一層抑制され、見やすいエコー画像を得ることができる。そして、表示ダイナミックレンジを最小値にしても、下地色レベルがノイズレベルを下回る場合は、ノイズレベルを下地色レベルに自動設定するので（ステップＳ１４）、下地色レベルがノイズレベルを下回っても、ノイズレベルが強制的に下地色レベルと等しくなるように設定が行われ、画面上にノイズ映像が現れるのを抑制することができる。
【００４９】
また、表層ノイズのレベルが所定値より大きくなったこと、または、海底エコーのレベルが所定値より小さくなったことが検知されたときに、ＴＶＧリミット機能を停止するか、またはリミット値を海底深度以上の値に変更し、さらにＴＶＧの特性曲線の傾きを大きくするようにしているので（ステップＳ８〜Ｓ９）、泡切れが発生した場合には、ＴＶＧの利得を増大させることにより、海底エコーに対する感度の低下を防止するとともに、海底の映像を鮮明に表示することができる。
【００５０】
図１１は、本発明の他の実施形態におけるオートＴＶＧ処理部２８の処理内容を示したフローチャートである。ここでは、ノイズ映像の抑制を主に表示ダイナミックレンジの調整により行い、補助的にＴＶＧリミットの調整を行う手法を採用している。
【００５１】
ステップＳ２０では、通常のＴＶＧ処理が行われる。ここでは、ＴＶＧリミットの値は固定である。その後、ステップＳ２１で、海底レベルが最強色レベルとなるように感度を自動調整する。続くステップＳ２２では、図１２に示すように、ノイズレベルが下地色となるように、表示ダイナミックレンジを自動調整する。次に、ステップＳ２３で、表示ダイナミックレンジを最小にしてもノイズが表示されるかどうかを判定する。図１２では、表示ダイナミックレンジを小さくすることにより、ノイズレベルが下地色レベルに抑えられ、ノイズは表示されないので（ステップＳ２３：ＮＯ）、ＴＶＧリミットの調整は行わない（ステップＳ２５）。一方、表示ダイナミックレンジを最小にしてもノイズが表示される場合は（ステップＳ２３：ＹＥＳ）、ノイズレベルが下地色レベルとなるように、ＴＶＧリミットを自動的に調整する（ステップＳ２４）。すなわち、図１３に示すように、ＴＶＧリミットをＬ１からＬ２へシフトさせることにより、ノイズレベルが下地色レベルを超えないようにする。
【００５２】
このようにすれば、表示ダイナミックレンジやＴＶＧリミットがノイズレベルに応じて自動的に調整されるので、画面上にノイズ映像が表示されるのを抑制することができる。
【００５３】
なお、表示ダイナミックレンジを変更する際には、急激な映像の変化が起こらないように、徐々にダイナミックレンジを広げ、あるいは狭めるようにすることが好ましい。
【００５４】
本発明では、以上述べた実施形態以外に、種々の実施形態を採用することができる。例えば、図５Ａ、図５Ｂで示した手順において、感度を調整するステップＳ１〜Ｓ６、ノイズレベルを取得するステップＳ７、泡切れの場合のＴＶＧレベルを調整するステップＳ８〜Ｓ９、表示ダイナミックレンジを調整するステップＳ１０〜Ｓ１４、ＴＶＧリミットを調整するステップＳ１５〜Ｓ１７は、順序を適宜入れ替えてもよい。
【００５５】
また、上記実施形態では、水中探知装置として魚群探知機を例に挙げたが、本発明は、ＴＶＧ機能を備えた水中探知装置であれば、スキャニングソナーや測深装置などにも適用することができる。
【図面の簡単な説明】
【００５６】
【図１】本発明の実施形態である魚群探知機のブロック図である。
【図２】信号処理部の具体的な構成を示すブロック図である。
【図３】本発明の基本的な原理を説明する図である。
【図４】表示部の画面に表示される映像の例である。
【図５Ａ】オートＴＶＧ処理部における詳細な処理内容を示したフローチャートである。
【図５Ｂ】図５Ａの続きのフローチャートである。
【図６】信号レベルと感度との関係を説明する図である。
【図７】信号レベルと、感度および表示ダイナミックレンジとの関係を説明する図である。
【図８】信号レベルと、感度および表示ダイナミックレンジとの関係を説明する図である。
【図９】ＴＶＧ特性を表したグラフである。
【図１０】ＴＶＧリミットの自動設定を説明する図である。
【図１１】他の実施形態におけるオートＴＶＧ処理部の処理内容を示したフローチャートである。
【図１２】他の実施形態における信号レベルと、感度および表示ダイナミックレンジとの関係を説明する図である。
【図１３】他の実施形態におけるＴＶＧリミットの調整を説明する図である。
【図１４】受信したエコー信号のレベルを示す図である。
【図１５】ＴＶＧ処理の原理を説明する図である。
【図１６】ＴＶＧリミットを説明する図である。
【図１７】ノイズレベルが上昇した場合の問題点を説明する図である。
【符号の説明】
【００５７】
１    送受波器
２    送受切替回路
３    送信回路
４    受信回路
５    Ａ／Ｄコンバータ
６    検波回路
７    信号処理部
８    表示部
１０  海底検出処理部
２０  表示データ処理部
２１  マニュアルＴＶＧ処理部
２８  オートＴＶＧ処理部
２６  感度処理部
２７  色変換部
５１  海底映像
５２  ノイズ映像
５３  魚群映像
１００  魚群探知機
Ｌ，Ｌ１，Ｌ２  ＴＶＧリミット（基準値）
【図１】
2009204308.tif 000003
【図２】
2009204308.tif 000004
【図３】
2009204308.tif 000005
【図４】
2009204308.tif 000006
【図５Ａ】
2009204308.tif 000007
【図５Ｂ】
2009204308.tif 000008
【図６】
2009204308.tif 000009
【図７】
2009204308.tif 000010
【図８】
2009204308.tif 000011
【図９】
2009204308.tif 000012
【図１０】
2009204308.tif 000013
【図１１】
2009204308.tif 000014
【図１２】
2009204308.tif 000015
【図１３】
2009204308.tif 000016
【図１４】
2009204308.tif 000017
【図１５】
2009204308.tif 000018
【図１６】
2009204308.tif 000019
【図１７】
2009204308.tif 000020